【事件の表示】
　平成　７年特許願第　３３３７４号「バルーンカテーテル」拒絶査定不服審判事件〔平成　８年　９月　３日出願公開、特開平　８−２２４３１０号〕について、次のとおり審決する。
【結　論】
　本件審判の請求は、成り立たない。
【理　由】
１．手続の経緯・本願発明
　本願は、平成７年２月２２日の出願であって、その請求項１ないし３に係る発明は、平成１７年２月１８日付けの手続補正によって補正された明細書及び図面の記載からみて、特許請求の範囲に記載された次のとおりのものと認める。
  「【請求項１】カテーテルの側壁部に開口を有し前記カテーテルの内部に軸方向にわたり形成された管路と、
　前記カテーテルの先端部近傍に設けられ、前記開口を覆い、前記管路に連通すると共に、前記カテーテルの先端部近傍の色とは異なる色のバルーン部と、
　を有することを特徴とするバルーンカテーテル。
　　【請求項２】カテーテルの側壁部に開口を有し前記カテーテルの内部に軸方向にわたり形成された管路と、
　前記カテーテルの先端部近傍に設けられ、前記開口を覆うバルーン部と、
　前記バルーン部を前記カテーテルに固定する前記カテーテルの先端部近傍の色とは異なる色の固定手段と、
　を有することを特徴とするバルーンカテーテル。
　　【請求項３】前記カテーテルの少なくともバルーン部または固定手段は、着色材料を混練して形成されたことを特徴とする請求項１または請求項２に記載のバルーンカテーテル。」
　
　ここで、引用形式で記載された請求項３に係る発明の内、請求項１を引用する発明（以下、「本願発明」という。）を書き直すと次のようになるものと認められる。
「カテーテルの側壁部に開口を有し前記カテーテルの内部に軸方向にわたり形成された管路と、
　前記カテーテルの先端部近傍に設けられ、前記開口を覆い、前記管路に連通すると共に、前記カテーテルの先端部近傍の色とは異なる色のバルーン部と、
　を有するバルーンカテーテルであって、バルーン部は、着色材料を混練して形成されたことを特徴とするバルーンカテーテル。」
　
２．引用例
   これに対して、原査定の拒絶の理由に引用した、実願平４−４７０５号（実開平５−６３５５１号）のＣＤ−ＲＯＭ（以下「引用例１」という）には、次のように記載されている。
「図１を参照してバルーンカテーテル１の挿入部について説明する。
  図に示すように前記バルーンカテーテル１の挿入部２は、先端側の細径部３とこの細径部３に連接して配設される太径部４とにより形成されている。そして、前記バルーンカテーテル１の内部には、軸方向に挿通して細径部３の先端の開口部１５ａに連通する送液管路１５と、軸方向に挿通して先端部の側面の開口部１６ａに連通するバルーン膨縮用管路１６とが設けられている。前記バルーン膨縮用管路１６に連通している開口部１６ａには、この開口部１６ａを略中央部として覆う円筒状で密閉して形成されたバルーンが細径部３の外周面を被着してバルーン部５を形成している。」（段落【００１６】）
　上記記載から引用例１には次の発明（以下、「引用発明」という。）が記載されていると認められる。
「内部に、軸方向に挿通して細径部３の先端の開口部１５ａに連通する送液管路１５と、軸方向に挿通して先端部の側面の開口部１６ａに連通するバルーン膨縮用管路１６とが設けられ、前記バルーン膨縮用管路１６に連通している開口部１６ａには、この開口部１６ａを略中央部として覆う円筒状で密閉して形成されたバルーンが細径部３の外周面を被着してバルーン部５を形成しているバルーンカテーテル。」
　
　同じく、原査定の拒絶の理由に引用した、特開平５−７６５９８号公報（以下、「引用例２」という。）には、
「【００１０】このような場合において、カテーテルの挿入進路、到達位置を確たるものにすべく、Ｘ線透視による挿入操作技術も同時に進歩している。
【００１１】しかしながら、Ｘ線透視技術を併用する作業は、該Ｘ線透視を可能とする造影効果を期待することを旨とするものであり、その手順として挿入するカテーテルより造影剤を注入しつつ、該カテーテルの先端の現在位置ならびに進行方向を確認しつつ行われていのが現状であるが、場合によっては注入する造影剤が、事後行う治療行為に悪影響を及ぼす例もあり、カテーテルの先端位置確認のためのみだけの造影剤注入目的であるとき、その副作用が大である場合に、でき得れば、造影剤注入作業を排除したいことが多例として存在する。
【００１２】このような場合において、カテーテルの先端あるいは先端付近のカフあるいはバルーン自体が造影効果が期待できれば造影剤の注入による悪影響が排除できることからカフあるいはバルーンをＸ線透視による可視物体とすることを目的とするものである。
【００１３】
【課題を解決するための手段】この発明は、上記した目的を達成させるための手段として、第１の発明は、医療用のカテーテルに形成するバルーンあるいはカフと称する膨出部に、該膨出部を構成するエラストマの物質的粒子間の間隙特性より該間隙を密とする物質をもってエラストマ層を被覆するリーク防止層を積層形成して成るものである。
【００１４】第２の発明は、医療用のカテーテルに形成するバルーンあるいはカフと称する膨出部に、Ｘ線造影検査時に造影作用を呈する造影剤よりなる造影剤層を、前記膨出部を構成するエラストマ層に積層形成して成るものである。」
と記載されており、カテーテルの先端付近のバルーン自体に、Ｘ線造影検査時に造影作用を呈する造影剤よりなる造影剤層をエラストマ層に積層形成することにより、その到達位置を明確にする技術が開示されている。
　即ち、バルーンカテーテルにおいて、バルーンの位置が視認できるようにする手段をバルーンに設ける技術思想が開示されているといえる。
　　
３．対比・判断
　本願発明と引用発明とを対比すると、後者の「バルーン膨縮用管路１６」、「側面」、「開口部１６ａ」、「バルーン部５」は、その機能ないし構造からみて、それぞれ、前者の「管路」、「側壁部」、「開口」、「バルーン部」に相当する。
　そして、後者の「バルーン膨縮用管路１６」は、「軸方向に挿通して先端部の側面の開口部１６ａに連通する」から、「カテーテルの側壁部に開口を有し」、「カテーテルの内部に軸方向にわたり形成された」といえるものであり、後者の「バルーン部５」は、「先端部の側面の開口部１６ａ」を「略中央部として覆う」から、「カテーテルの先端部近傍に設けられ、前記開口を覆い」、「管路に連通する」ものといえる。
　したがって、両者は、
「カテーテルの側壁部に開口を有し前記カテーテルの内部に軸方向にわたり形成された管路と、
　前記カテーテルの先端部近傍に設けられ、前記開口を覆い、前記管路に連通するバルーン部と、
を有するバルーンカテーテル」である点で一致しており、次の点で相違する。
　相違点：前者は、バルーン部が、カテーテルの先端部近傍の色とは異なる色であって、着色材料を混練して形成されているのに対し、後者のバルーン部は色に関しては不明である点。
　上記相違点について検討すると、バルーンカテーテルにおいて、バルーンの位置を視認できるようにする手段をバルーンに設ける技術思想は引用例２により公知であり、視認がし易いように着色を施すことは、原査定の拒絶の理由に引用した、特表平６−５１１４０９号公報にも記載され、また、特開平５−２９３０７７号公報の段落【００９６】にも記載されているように周知の技術手段であり、更に、着色のために着色材料を混練することも周知の技術手段であるから、引用発明にこれら周知の技術手段を適用して上記相違点に係る、前者の構成とすることは、当業者が容易に想到し得ることである。
　そして、上記相違点に係る構成による効果も当業者が予測し得る範囲のものであって、格別のものではない。
　
４．むすび
　したがって、本願発明を選択的に含む、本願の請求項３に係る発明は、引用発明及び周知の技術手段に基いて当業者が容易に発明をすることができたものであり、特許法第２９条第２項の規定により特許を受けることができない。
　よって、結論のとおり審決する。